(57)【要約】【課題】従来の吊りチェーンを用いた足場を水域構造物に適用した場合、足場の構築作業ばかりでなく、足場構築後の足場上での各種作業においても、危険を伴う困難な作業となってしまい、作業効率の低下が避けられず、作業時間の増加をもたらしていた。【解決手段】水域構造物１１の鋼管杭１３間を連結し少なくとも鋼管杭１３に沿って移動しないように装着された連結部材１４が、上部工の下に構築する足場の荷重を保持し、または上部工の下に浮体で構築する足場の動揺を抑制する。足場の荷重を保持する連結部材１４は部材軸方向に伸縮自在な棒状部材で、既設の鋼管杭１３間に脱着可能である。足場支持部材１５は、基部片２３ａが閉動作することで連結部材１４に固定基部２３が密着して連結部材１４に係止した状態になり、その開閉動作は固定基部２３に装着した支柱部材２４で行う。【選択図】図１
2012225002.tif 000002
【特許請求の範囲】
【請求項１】
水中から水面上方に突出する複数の脚部に支持されて水面の上方に位置する上部構造物を備えた水域構造物に、前記上部構造物の下方に位置する足場を設置する、水域構造物の足場構築工法において、
水域構造物の脚部間を連結し少なくとも脚部に沿って移動しないように装着された連結部材が、上部工の下に構築する足場の荷重を保持することを特徴とする水域構造物の足場構築工法。
【請求項２】
水中から水面上方に突出する複数の脚部に支持されて水面の上方に位置する上部構造物を備えた水域構造物に、前記上部構造物の下方に位置する足場を設置する、水域構造物の足場構築工法において、
水域構造物の脚部間を連結し少なくとも脚部に沿って移動しないように装着された連結部材が、上部工の下に浮体で構築する足場の動揺を抑制することを特徴とする水域構造物の足場構築工法。
【請求項３】
請求項１又は２の水域構造物の足場構築工法を実現するために、足場の荷重を保持する連結部材は部材軸方向に伸縮自在な棒状部材で、既設の脚部間に脱着可能であることを特徴とする水域構造物の足場構築工法。
【請求項４】
足場の荷重を連結部材に伝達する足場支持部材において、連結部材に固定する固定基部と支柱部材からなり、足場支持部材は連結部材に脱着可能に装着され、固定基部は基部片が閉動作することで連結部材に固定基部が密着して足場支持部材が連結部材に係止した状態になり、その開閉動作は固定基部に装着した開閉操作部材で行うことができる構造となっていることを特徴とする足場構造。
【発明の詳細な説明】
【技術分野】
【０００１】
この発明は、桟橋等の水域構造物の上部構造物を点検や補修等する際に用いる、水面上方に位置する上部構造物の下方に足場を設置する水域構造物の足場構築工法及び足場構造に関する。
【背景技術】
【０００２】
従来、高架道路や橋梁等の高層構築物の保守・維持管理・修理作業等を行う際に、保守・維持管理・修理作業等を行う箇所の下方に吊設する足場が知られている。
このような足場として、例えば、並設された一対の桁の腹部側面に埋設されたボルトでアンカー基材を固定し、このアンカー基材に吊持された吊りチェーンの下端に吊り下げた、鋼管等の架設部材に、これらに交差するように別の架設部材を載置して移動しないように固定し、左右吊りチェーン間の各架設部材上に作業用の道板を設置したものがある（特許文献１参照）。
【０００３】
この吊りチェーンを用いた足場は、桟橋や船舶係留施設（ドルフィン）或いは橋脚等の水域構造物において、水域構造物に備えられて水面上方に位置する上部構造物を点検・補修・補強・撤去・再構築等する際にも、同様に適用される。
【先行技術文献】
【特許文献】
【０００４】
【特許文献１】特開平６−２１２７０６号公報
【発明の概要】
【発明が解決しようとする課題】
【０００５】
しかしながら、従来の吊りチェーンを用いた足場を水域構造物に適用した場合、足場を構築する際に、吊りチェーンを固定するために上部構造物（例えば、桟橋の梁側面）をドリル等で削孔して、アンカー基材等の固定用金具を取り付けるが、この削孔作業を行うための足場を用意する必要があり、足場としてポンツーンや小型船舶等を用いるため、不安定な足場での作業とならざるを得なかった。
つまり、削孔作業は、頭上より高い位置での作業になる上、足場が浮体なので波等により足場が動揺するために不安定で力が入り難く、使用するドリルの重さも加わって、危険を伴う困難な作業となるのが避けられなかった。
【０００６】
加えて、従来の吊りチェーンによる足場は、足場を構築することで得られる作業空間を遮るように、作業空間を形成するための架設部材を吊り下げる吊りチェーンが作業空間床面の全域に略一定間隔で鉛直方向に張られているため、作業空間の自由な移動及び広い作業空間の確保ができなかった。
従って、従来の吊りチェーンを用いた足場を水域構造物に適用した場合、足場の構築作業ばかりでなく、足場構築後の足場上での各種作業においても、作業効率の低下が避けられなかった。
【０００７】
この発明の目的は、足場の構築作業ばかりでなく、足場構築後の足場上での各種作業においても、効率良く行うことができ、危険を伴う足場構築作業の削減と足場構築に要する作業時間を短縮することができる、水域構造物の足場構築工法及び足場構造を提供することである。
【課題を解決するための手段】
【０００８】
上記目的を達成するため、この発明に係る水域構造物の足場構築工法は、水中から水面上方に突出する複数の脚部に支持されて水面の上方に位置する上部構造物を備えた水域構造物に、前記上部構造物の下方に位置する足場を設置する、水域構造物の足場構築工法において、水域構造物の脚部間を連結し少なくとも脚部に沿って移動しないように装着された連結部材が、上部工の下に構築する足場の荷重を保持することを特徴としている。
また、この発明に係る水域構造物の足場構築工法は、水中から水面上方に突出する複数の脚部に支持されて水面の上方に位置する上部構造物を備えた水域構造物に、前記上部構造物の下方に位置する足場を設置する、水域構造物の足場構築工法において、水域構造物の脚部間を連結し少なくとも脚部に沿って移動しないように装着された連結部材が、上部工の下に浮体で構築する足場の動揺を抑制することを特徴としている。
【０００９】
また、この発明の他の態様に係る水域構造物の足場構築工法は、上記水域構造物の足場構築工法を実現するために、足場の荷重を保持する連結部材は部材軸方向に伸縮自在な棒状部材で、既設の脚部間に脱着可能であることを特徴としている。
また、この発明に係る足場構造は、足場の荷重を連結部材に伝達する足場支持部材において、連結部材に固定する固定基部と支柱部材からなり、足場支持部材は連結部材に脱着可能に装着され、固定基部は基部片が閉動作することで連結部材に固定基部が密着して足場支持部材が連結部材に係止した状態になり、その開閉動作は固定基部に装着した開閉操作部材で行うことができる構造となっていることを特徴としている。
【発明の効果】
【００１０】
この発明に係る水域構造物の足場構築工法によれば、水中から水面上方に突出する複数の脚部に支持されて水面の上方に位置する上部構造物を備えた水域構造物に、前記上部構造物の下方に位置する足場を設置する、水域構造物の足場構築工法において、水域構造物の脚部間を連結し少なくとも脚部に沿って移動しないように装着された連結部材が、上部工の下に構築する足場の荷重を保持するため、作業空間の自由な移動及び広い作業空間の確保を妨げる、例えば、作業空間を形成するための架設部材を吊り下げる吊りチェーンを必要としないので、足場の構築作業ばかりでなく、足場構築後の足場上での各種作業においても、効率良く行うことができ、危険を伴う足場構築作業の削減と足場構築に要する作業時間を短縮することができる。
また、この発明に係る足場構造により、この発明に係る水域構造物の足場構築工法を実現することができる。
【図面の簡単な説明】
【００１１】
【図１】この発明の第一実施の形態に係る水域構造物の足場構造を模式的に示す説明図である。
【図２】図１の連結部材の鋼管杭装着状態を示す平面説明図である。
【図３】連結部材を鋼管杭に固定保持する楔状部材を移動させる楔状部材移動機構を示し、（ａ）は鞘管部材が鋼管杭に固定された状態の概略説明図、（ｂ）は楔状部材移動機構が備えられた鞘管部材の説明図である。
【図４】図１の足場支持部材の具体例を示し、（ａ）は平面図、（ｂ）は正面図である。
【図５】図１の足場支持部材の固定基部が連結部材を挟み込んだ状態を示す説明図である。
【図６】水面下において鋼管杭に連結部材が固定された状態を示し、（ａ）は連結部材を側方から見た説明図、（ｂ）は連結部材を上方から見た説明図である。
【図７】足場支持部材の連結部材への取り付け方法を示し、（ａ）は設置場所まで運ばれた足場支持部材の説明図、（ｂ）は連結部材に足場支持部材の固定基部を固定させた状態の説明図である。
【図８】足場支持部材の固定基部を連結部材に固定する方法を示し、（ａ）は連結部材に固定基部を位置させた状態の説明図、（ｂ）は連結部材に固定基部を固定させた状態の説明図である。
【図９】足場床を形成する方法を示し、（ａ）は足場梁を設置した状態の説明図、（ｂ）は足場床を設置した状態の説明図である。
【図１０】この発明の第二実施の形態に係る水域構造物の足場構造における足場ユニットを用いて足場を形成する方法を示し、（ａ）は設置場所まで運ばれた足場ユニットの説明図、（ｂ）は足場支持部材を介して連結部材に足場ユニットを装着した状態の説明図である。
【図１１】この発明の第三実施の形態に係る水域構造物の足場構造における床部材支持ユニットを用いて足場を形成する方法を示し、（ａ）は足場の平面説明図、（ｂ）は（ａ）のＢ-Ｂ断面による説明図である。
【図１２】この発明の第四実施の形態に係る水域構造物の足場構造における喫水調整足場ユニットの斜視説明図である。
【図１３】図１２の喫水調整足場ユニットを用いて足場を形成する方法を示し、（ａ）は足場の平面説明図、（ｂ）は（ａ）のＢ方向から見た説明図である。
【図１４】この発明の第五実施の形態に係る水域構造物の足場構造における浮き梁受け部材を用いて足場を形成する方法を示し、（ａ）は足場の平面説明図、（ｂ）は（ａ）のＢ-Ｂ断面による説明図である。
【発明を実施するための形態】
【００１２】
以下、この発明を実施するための形態について図面を参照して説明する。
（第一実施の形態）
図１は、この発明の第一実施の形態に係る水域構造物の足場構造を模式的に示す説明図である。図１に示すように、水域構造物の足場１０は、例えば、桟橋や船舶係留施設（ドルフィン）或いは橋脚等の水域構造物１１に、水域構造物１１が備える上部構造物１２の下方に位置して設置されている。
【００１３】
上部構造物１２は、水中から水面Ｗ．Ｌ上方に突出する複数の鋼管杭（脚部）１３（一例として、３本を図示）に支持されて水面Ｗ．Ｌ上方に位置する。鋼管杭１３は、海底或いは川底或いは湖底の水底地盤に所定ピッチで鉛直方向に打ち込まれており、水面Ｗ．Ｌ上方の所定高さに位置する杭上端部に構築された上部構造物１２を有している。
この鋼管杭１３の水面Ｗ．Ｌ上方突出部分から朔望平均干潮面より下側略１ｍ迄の範囲には、防錆・防食のために、ポリエチレン被膜やウレタンエラストマー被膜等を用いたライニングや表面被膜からなる重防食被膜ａが施されている。水域構造物部１１の脚部には、鋼構造が多く採用されるが、鋼構造を採用した場合、一般的に腐食が激しい水面Ｗ．Ｌ近傍の飛沫帯には、重防食処理を施すことが望ましく、重防食被膜ａは、特に、海水域の水域構造物１１において必須とされる施工態様である。
【００１４】
この足場１０は、鋼管杭１３に固定保持される連結部材１４に装着された足場支持部材１５に支持されて、水面Ｗ．Ｌ上方に位置しており、足場形成部材１６により形成された足場床を有している。足場床は、作業員（図示しない）が、上部構造物１２に対する保守・維持管理や修理・改良等に伴う点検・補修・補強・撤去・再構築等の各種作業を行う際に、作業員の作業場所として用いられる。この足場床は、作業員が各種作業をしているときに水面Ｗ．Ｌ上方に位置していれば良く、例えば、海水域において作業員が各種作業をしていない満潮時等に、海水面下に没していても良い。
【００１５】
連結部材１４は、複数の鋼管杭１３の内の隣接する２本の鋼管杭１３を連結するように、隣接する各鋼管杭１３の水面下所定位置、即ち、水面Ｗ．Ｌ下方の重防食被膜ａが施された部分を除いた水中位置、望ましくはその水中位置最上部に、離脱可能に装着されている。なお、この連結部材１４は、必ずしも水中に位置しなくても良く、重防食被膜ａを傷付けること無く装着することができるのなら、重防食被膜ａが施された部分に位置させても良い。この連結部材１４は、両端間で伸縮自在な入れ子構造を有し、各鋼管杭１３の所定位置に固定保持されるが、連結部材１４として、例えば、本願出願人により既に出願されている「ストラット部材」（特開２００８−２２３３８４号公報参照）を用いることができる。
【００１６】
なお、足場１０を設置しようとする、上部構造物１２の下方となる場所に、例えば、水域構造物１１を補強するため、既に、鋼管杭１３の間を連結する補強用部材が取り付けられており、この補強用部材が、足場１０を構成する連結部材１４と同様の機能を有する場合、改めて連結部材１４を設ける必要は無く、連結部材１４の代わりに、既設の補強用部材を用いても良い。
【００１７】
図２は、図１の連結部材の鋼管杭装着状態を示す平面説明図である。図２に示すように、連結部材１４は、何れも、例えば、一般構造用炭素鋼鋼管（ＳＴＫ）等の管体からなる、外管１７及び内管１８と、外管１７及び内管１８の外側端に設けられた鞘管部材１９とを有している。そして、連結部材１４は、外管１７の中に長手方向相対移動可能に挿入された内管１８を外管１７の内管挿入端に対し引き出し或いは押し込むことにより、その長さが変化する長さ方向伸縮自在に形成されている。
【００１８】
鞘管部材１９は、鋼管杭１３を外側から包囲するのに適する、管体を半割にした樋状に、且つ、鋼管杭１３を包囲した状態で、鋼管杭１３の外表面と密着することなく外表面との間に所定間隙を有するように拡径して形成されている。鞘管部材１９の両側辺には外向きのフランジ１９ａが突設されており、フランジ１９ａには、例えば、接合用のボルト・ナットを取り付けるための取付け用孔（図示しない）が開けられている。
【００１９】
この連結部材１４は、隣接する２本の鋼管杭１３，１３の間で、両端の鞘管部材１９，１９がそれぞれ鋼管杭１３の外周面外側に位置する長さに調整される。長さを調整した連結部材１４は、外管１７の内周面と、外管１７に挿入した内管１８の外周面との間隙に、例えば、直径位置の二箇所で楔状部材（図示しない）を打ち込むことにより、内管１８の外管１７に対する移動が阻止され、両端の鞘管部材１９，１９それぞれを鋼管杭１３の外周面外側に位置させた状態に保持される。つまり、連結部材１４は、装着される鋼管杭間の距離に対応して長さを変化させ、鋼管杭１３に対し離脱自在に装着されている。
【００２０】
また、図２に示すように、鋼管杭１３の外周面外側に位置する鞘管部材１９は、鋼管杭１３を挟み込む一対の鞘管部材１９同士のフランジ１９ａを、例えば、ボルト・ナットを用いて接合することにより、鋼管杭１３の外周面との間に間隙を有して鋼管杭１３を内包する円筒状の鞘管を形成する。
なお、連結部材１４が鋼管杭１３を挟み込まず鋼管杭１３の一方側のみに配置される場合は、鋼管杭１３の他方側に鞘管部材１９と同様の形状及び機能を備えた鞘管形成用部材２０を用意し、鋼管杭１３を挟み込んだ鞘管部材１９と鞘管形成用部材２０のそれぞれのフランジ１９ａ，２０ａを接合することにより、鋼管杭１３の外周面との間に間隙を有して鋼管杭１３を内包する円筒状の鞘管を形成することができる。
【００２１】
フランジ１９ａ，１９ａ及びフランジ１９ａ，２０ａの接合はボルト・ナットを用いる。
これにより、鞘管部材１９は鋼管杭１３を挟んで相互に接合され、複数の連結部材１４が、複数の鋼管杭１３の隣接杭間を連結した状態に一体的に装着される。
この接合された一対の鞘管部材１９、或いは鋼管杭１３を挟み込んだ鞘管部材１９と鞘管形成用部材２０からなる円筒状の鞘管は、例えば、楔状部材２１を用いて、水面Ｗ．Ｌ下方の鋼管杭１３に固定保持することができ、これにより、隣接する鋼管杭１３の間に配置された連結部材１４を水中に固定保持することができる。
【００２２】
その上、上記構成を有する連結部材１４により、既設の鋼管杭１３に簡単に後付けすることができ、更には、伸縮することで全長を自在に調整することができるので、部材のユニット化が可能になる。これは、事前に大量製作して、足場を架設する現地で微調整することができるので、製作する連結部材１４の寸法を事前に調査する必要が無いためである。
【００２３】
図３は、連結部材を鋼管杭に固定保持する楔状部材を移動させる楔状部材移動機構を示し、（ａ）は鞘管部材が鋼管杭に固定された状態の概略説明図、（ｂ）は楔状部材移動機構が備えられた鞘管部材の説明図である。図３（ａ）に示すように、鋼管杭１３を内包する円筒状の鞘管の内表面、即ち、鞘管部材１９の内表面と鋼管杭１３の外表面との間隙に、鞘管部材１９の上下端の少なくとも下端から楔状部材２１を打ち込む。楔状部材２１を打ち込むことにより、楔状部材２１を介して、鞘管形成用部材２０の内表面と鋼管杭１３が圧着した状態になる。
【００２４】
この結果、鋼管杭１３の外表面と鞘管形成用部材２０の内表面の摩擦力が増大するので、鞘管、即ち、連結部材１４が鋼管杭１３に沿って落下することなく鋼管杭１３に固定保持される。従って、連結部材１４を、鋼管杭１３の水底面から上部構造物１２直下までの任意の高さに装着固定することができる。
この楔状部材２１は、楔状部材移動機構により鋼管杭１３と鞘管部材１９の間に打ち込むことができる。
【００２５】
図３（ｂ）に示すように、楔状部材移動機構は、外管１７（或いは内管１８）に設けられた鞘管部材１９に備えられており、下端に楔状部材２１の先端を鞘管部材１９の下端内周面に向けて固定した長ボルト２２ａと、長ボルト２２ａを貫通螺着させて鞘管部材１９に固定されたナット２２ｂと、長ボルト２２ａを移動自在に貫通させて鞘管部材１９に固定されたガイドパイプ２２ｃとを有している。なお、楔状部材移動機構は、鞘管部材１９に加え、鞘管形成用部材２０にも備えられており、一本の鋼管杭１３に対し、少なくとも、鋼管杭１３直径位置で対となる二箇所に設置されている。
【００２６】
図３（ａ）に示すように、鞘管部材１９同士或いは鞘管部材１９と鞘管形成用部材２０を接合して形成した鞘管に鋼管杭１３を貫通させた状態で、鋼管杭１３の所定位置に連結部材１４を配置すると、楔状部材２１は先端を鋼管杭１３と鞘管部材１９の間に臨ませた状態になるので、長ボルト２２ａを、例えば、左回転すると、長ボルト２２ａは、羅着されたナット２２ｂを介して全体がガイドパイプ２２ｃに案内されつつ鞘管部材１９に対し上昇する。長ボルト２２ａ全体が上昇するのに伴い、楔状部材２１は先端から鋼管杭１３と鞘管部材１９の間隙に入り込み、楔状部材２１が鋼管杭１３と鞘管部材１９の間に打ち込まれることになって、円環状の鞘管が、鋼管杭１３に固定される。
【００２７】
この長ボルト２２ａのナット２２ｂ上方への突出量は、任意の長さに設定することができ、鋼管杭１３の水面下所定位置、即ち、水面Ｗ．Ｌ下方の重防食被膜ａが施された部分を除いた水中部分、望ましくはその最上部、に装着した連結部材１４に対し、長ボルト２２ａの上端部が水面Ｗ．Ｌ上方に露出する長さに設定することにより、水面Ｗ．Ｌ上方から長ボルト２２ａを回転操作して、水中で楔状部材２１を鋼管杭１３と鞘管（鞘管部材１９）の間に打ち込むことができる。
【００２８】
図４は、図１の足場支持部材の具体例を示し、（ａ）は平面図、（ｂ）は正面図である。図４に示すように、足場支持部材１５は、固定基部（連結部材係止部）２３と、固定基部２３に設けた支柱部材（操作部）２４とを有して、連結部材１４に離脱可能に装着されており、連結部材１４に装着した状態で固定基部２３から水面Ｗ．Ｌ方向に突出する支柱部材２４により、足場１０を水面Ｗ．Ｌ上方に位置させて支持する。
【００２９】
固定基部２３は、例えば、矩形状鉄板を外管１７及び内管１８の外周面形状に対応する曲面形状に加工して形成された、一対の基部片２３ａ，２３ａを、凹面側が同一方向になるようにそれぞれの側辺同士をヒンジ２３ｂで連結して、互いに接近する閉動作及び互いに離反する開動作が可能に形成されている（図４、矢印参照）。
このため、固定基部２３を、開状態で連結部材１４の外周面の外側に位置させ、その後、閉状態にすることで、連結部材１４の外周面の大半を覆って外周面に密着し連結部材１４に係止した状態にすることができる。
【００３０】
一対の基部片２３ａ，２３ａのそれぞれの内周面には、閉状態の固定基部２３が連結部材１４の外周面との間で滑って移動することが無いように、滑り止め用の薄肉シート状のゴム部材２３ｃが貼り付けられている。このゴム部材２３ｃは、固定基部２３が閉状態になることで連結部材１４に圧着し、摩擦力により連結部材１４に対する固定基部２３の回転を阻止することができる。なお、ゴム部材２３ｃは、連結部材１４の外表面の凹凸に馴染むので、固定基部２３が装着固定される連結部材１４（外管１７及び内管１８）の曲面部形状の微調整が不要となる。このため、新たに設置する連結部材１４の代わりに、既設の鋼管杭１３を連結する補強用部材を用いた場合でも、固定基部２３を装着固定することができ、その際、事前に装着面を清掃する必要が無い。
【００３１】
各基部片２３ａの、ヒンジ連結側とは反対側の外周面には、この外周面に固定された支柱取付部材２３ｄを介して、例えば、鋼管製の単管パイプ等からなる支柱部材２４の下端側が取り付けられている。支柱部材２４は、支柱取付部材２３ｄに対し、支柱取付部材２３ｄから下方に突出する突出下端部２４ａを有するように貫通すると共に、ヒンジ連結辺と直交する方向に延びて固定されている。
【００３２】
つまり、一対の基部片２３ａ，２３ａのそれぞれに取り付けられた両支柱部材２４，２４の各上端側を、互いに接近させて固定基部２３の開状態にすることができ、一方、互いに離反させて連結部材１４を挟み込んだ固定基部２３の閉状態にすることができる。固定基部２３が閉状態にあるとき、固定基部２３は、連結部材１４を挟み込んで両側から締め付けた状態となり、両支柱部材２４，２４は、それ以上離反する方向へと移動することなく保持される。
【００３３】
図５は、図１の足場支持部材の固定基部が連結部材を挟み込んだ状態を示す説明図である。図５に示すように、固定基部２３を閉状態として連結部材１４に係止させた足場支持部材１５は、固定基部２３に取り付けられた両支柱部材２４，２４を、固定基部２３を底部とするＶ字状に保持することになり、これによって、その上端位置が所定の高さに保持されることになる。
この支柱部材２４は、鋼管杭１３の水面下所定位置に配置された固定基部２３から水面Ｗ．Ｌ方向に突出して（図１参照）、支柱部材２４の上端部を、例えば、水面Ｗ．Ｌ上方の、水面Ｗ．Ｌ近傍に位置させることができる長さを有している。
【００３４】
従って、固定基部２３を連結部材１４に係止させた足場支持部材１５の両支柱部材２４，２４は、水面Ｗ．Ｌ近傍に位置する支柱部材２４の上端部２４ｂを介して固定基部２３の開閉操作を行うことができる操作手段（開閉操作部材）として機能し、足場支持部材１５は、固定基部２３を閉状態にした場合に、両支柱部材２４，２４に装着された足場１０を水面Ｗ．Ｌ上方の所定位置に保持するように支持することができる支持手段として機能する。
【００３５】
このように、足場支持部材１５は、上記構成を有することにより、水面Ｗ．Ｌ上方からの装着操作により、水面下所定位置に固定保持された連結部材１４への足場支持部材１５の装着を可能にする装着機構を有することになり、水面Ｗ．Ｌ上方からの遠隔操作により、簡単に足場支持部材１５の連結部材１４への取り付け或いは取り外しができる。
また、固定基部２３を連結部材１４に係止させた足場支持部材１５は、両支柱部材２４，２４をＶ字状に保持した状態で、支柱取付部材２３ｄから下方に突出下端部２４ａを突出させ、連結部材１４の下方に突出下端部２４ａを位置させている。このため、波浪等の影響で足場１０全体にかかる、足場１０を持ち上げようとする力、即ち、揚圧力に抗することができる。
【００３６】
足場形成部材１６は、図５に示すように、両支柱部材２４，２４に装着される梁部材１６ａと、梁部材１６ａに装着されて足場床となる床部材１６ｂを有しており、足場１０を形成する。梁部材１６ａは、例えば、鋼管製の単管パイプからなり、単管クランプ等のクランプ手段（図示しない）により支柱部材２４の上端部２４ｂに離脱可能に装着されており、床部材１６ｂは、例えば、エキスパンドメタルが用いられ、取付け部材（図示しない）により梁部材１６ａに離脱可能に装着されている。
【００３７】
次に、水域構造物１１が備える、例えば、桟橋上部工等の上部構造物１２の下方に設置される足場１０の設置方法を説明する。
先ず、水域構造物１１から離れた位置で、入れ子構造を有する連結部材１４を、両端間を短くした上で、浮力体を取り付け水没しないようにして、例えば、鞘管部材１９が上下方向に位置する姿勢で水面Ｗ．Ｌに浮かべる。連結部材１４が水没しないようにするには、浮力体として、大きな浮力が得られる発泡スチロール製またはＦＲＰ（Ｆｉｂｅｒ  Ｒｅｉｎｆｏｒｃｅｄ  Ｐｌａｓｔｉｃｓ）製や空気を注入するゴム製等のフロータを取り付ける他、両端を水密に密封して連結部材１４自身にフロータの機能を持たせたり、これらを組み合わせて構成しても良い。
【００３８】
次に、作業員が水面Ｗ．Ｌに浮かぶ、例えば、ポンツーン等の浮体に乗り、足場１０を設置するために必要な数の連結部材１４を水面Ｗ．Ｌに浮かべた状態で、足場１０を設置する上部構造物１２の下方となる場所まで曳航する。そして、作業員が浮体に乗ったまま、隣接する２本の鋼管杭１３，１３の距離に合わせて連結部材１４の両端を伸ばし、両端の鞘管部材１９，１９がそれぞれ鋼管杭１３の外周面外側に位置する長さに調整し、調整された複数の連結部材１４を、水面Ｗ．Ｌに浮かべたまま複数の鋼管杭１３の隣接杭間に一列に配置する。
【００３９】
その後、鋼管杭１３を挟み込んだ、一対の鞘管部材１９，１９及び鞘管部材１９と鞘管形成用部材２０のそれぞれのフランジ１９ａ，２０ａを接合して、鋼管杭１３の外周面との間に間隙を有して鋼管杭１３を内包する円筒状の鞘管を形成する（図２参照）。鞘管形成後、水面Ｗ．Ｌに浮かべた連結部材１４からフロータを外して、鞘管を鋼管杭１３に沿わせて水面Ｗ．Ｌから水面Ｗ．Ｌ下方へ移動させ、鋼管杭１３の水面下所定位置に連結部材１４を配置する。
【００４０】
このとき、鋼管杭１３の外表面を移動する鞘管は、外周面との間に間隙を有しているので、水面Ｗ．Ｌ下方の重防食被膜ａが施された部分を重防食被膜ａに接触すること無く移動させることができ、傷付き易い重防食被膜ａを傷付けることが無い。つまり、水域構造物部１１の脚部に鋼構造を採用した場合、飛沫帯には重防食処理が施されており、この重防食処理に多く採用されている有機系材料によるライニング（表面被膜工法）は、外力が加わることによって損傷し易いため、重防食処理施工範囲に鞘管を取り付ける等、何らかの細工を施す場合、重防食処理の補修作業が必要となるが、この補修作業を必要としなくなる。
【００４１】
このように、配置される鋼管杭１３間の距離に対応して長さが変化する長さ方向伸縮自在に形成された連結部材１４は、水面Ｗ．Ｌに浮かべた状態で足場設置場所に運んだ後、水面Ｗ．Ｌ上方からの操作により鋼管杭１３に対し離脱自在に装着される。
なお、足場設置場所に、既に、鋼管杭１３の間を連結する補強用部材等が取り付けられており、この補強用部材等が、連結部材１４と同様の機能を有する場合、連結部材１４を配置することなく、既設の補強用部材等を用いる。
【００４２】
次に、浮体に乗った作業員は、連結部材１４を鋼管杭１３の水面下所定位置に配置したまま、水面Ｗ．Ｌ上方に露出する、長ボルト２２ａの上部先端を、例えば、左回転させて、長ボルト２２ａを上昇させる。長ボルト２２ａの上昇により、鞘管部材１９の下端から楔状部材２１が鋼管杭１３と鞘管部材１９の間に打ち込まれ、接合された鞘管部材１９と鞘管形成用部材２０（或いは一対の鞘管部材１９，１９）からなる円環状の鞘管が、鋼管杭１３に固定される（図３（ａ）参照）。
【００４３】
図６は、水面下において鋼管杭に連結部材が固定された状態を示し、（ａ）は連結部材を側方から見た説明図、（ｂ）は連結部材を上方から見た説明図である。図６に示すように、楔状部材２１により鞘管部材１９、即ち、鞘管が鋼管杭１３に固定されることにより（（ａ）参照）、連結部材１４は、隣接する鋼管杭１３の間を連結するように、鋼管杭１３の水面下所定位置に固定保持される（（ａ），（ｂ）参照）。
次に、鋼管杭１３の水面下所定位置に固定保持された連結部材１４に、足場支持部材１５を取り付ける。
【００４４】
図７は、足場支持部材の連結部材への取り付け方法を示し、（ａ）は設置場所まで運ばれた足場支持部材の説明図、（ｂ）は連結部材に足場支持部材の固定基部を固定させた状態の説明図である。図７に示すように、足場支持部材１５を、例えば、ポンツーン等の浮体Ｐに載せて、鋼管杭１３の水面下所定位置に連結部材１４が固定保持された、足場１０を設置する場所まで運ぶ（（ａ）参照）。
【００４５】
足場１０を設置する場所まで運んだ足場支持部材１５を、浮体Ｐに乗った作業員Ｗが水面Ｗ．Ｌ下方に沈めて、固定基部２３を鋼管杭１３の水面下所定位置に設置した連結部材１４に係止させ、両支柱部材２４，２４の上端部２４ｂが水面Ｗ．Ｌ上方に露出させた状態にして、足場支持部材１５を連結部材１４に取り付ける。以後、同様に、足場１０を設置するために必要な数の足場支持部材１５を全て連結部材１４に取り付ける（（ｂ）参照）。
【００４６】
図８は、足場支持部材の固定基部を連結部材に固定する方法を示し、（ａ）は連結部材に固定基部を位置させた状態の説明図、（ｂ）は連結部材に固定基部を固定させた状態の説明図である。図８に示すように、足場支持部材１５を連結部材１４に固定する場合、個別に浮体Ｐに乗った二人の作業員Ｗのそれぞれが、一対の支柱部材２４，２４の各々の各上端部２４ｂ近傍を持って、足場支持部材１５を水面Ｗ．Ｌ下方に沈め、両支柱部材２４，２４を上下方向略平行にして固定基部２３を開状態にし、連結部材１４の上部に位置させる（（ａ）参照）。
【００４７】
そして、それぞれ上端部２４ｂ近傍を持った各作業員Ｗは、浮体Ｐに乗ったまま、即ち、水面Ｗ．Ｌ上方から、一対の支柱部材２４，２４のそれぞれが互いに離反するように支柱部材２４を操作して、両支柱部材２４，２４が固定基部２３を底部とするＶ字状になるようにする。これにより、開状態で連結部材１４の外周面の外側に位置する固定基部２３を閉状態にして、固定基部２３を、連結部材１４の外周面の大半を覆って外周面に密着し連結部材１４に係止した状態にする（（ｂ）参照）。
【００４８】
次に、水面下所定位置に設置した連結部材１４に取り付けた複数の足場支持部材１５（図７（ｂ）参照）に、足場形成部材１６を装着し、足場床を形成する。
図９は、足場床を形成する方法を示し、（ａ）は足場梁を設置した状態の説明図、（ｂ）は足場床を設置した状態の説明図である。図９に示すように、足場１０を設置するために必要な数の足場支持部材１５を全て連結部材１４に取り付けた後、作業員Ｗは、浮体Ｐに乗ったまま、即ち、水面Ｗ．Ｌ上方から、各支柱部材２４の、水面Ｗ．Ｌ上方に露出させた上端部２４ｂに、梁部材１６ａを掛け渡し、各上端部２４ｂと梁部材１６ａとを離脱可能に装着する（（ａ）参照）。
【００４９】
各支柱部材２４のそれぞれの上端部２４ｂと梁部材１６ａとを装着することにより、各足場支持部材１５の両支柱部材２４，２４はＶ字状のまま保持されて、梁部材１６ａを支持する。そして、全ての足場支持部材１５に梁部材１６ａを相互連結状態に装着して、複数の足場支持部材１５に支持される複数の梁部材１６ａを水面Ｗ．Ｌ上方に並設した後、梁部材１６ａの上に、足場床となる床部材１６ｂを離脱自在に装着する（（ｂ）参照）。
【００５０】
このように、上述した足場構築工法により、足場支持部材１５は、水面Ｗ．Ｌに浮かべた状態で足場設置場所に運んだ後、水面Ｗ．Ｌ上方からの操作により連結部材１４に離脱可能に装着されて、連結部材１４に装着した状態で水面Ｗ．Ｌ方向に突出しており、この足場支持部材１５を用いて、足場１０を水面Ｗ．Ｌ上方に支持することができる。また、水面Ｗ．Ｌに浮かべた状態で足場１０を設置する足場設置場所に運んだ、足場１０を形成する足場形成部材１６を、水面Ｗ．Ｌ上方からの操作により、複数の鋼管杭１３の２本の鋼管杭１３，１３の間を連結し鋼管杭１３の水面下所定位置に固定保持される連結部材１４を介して、即ち、連結部材１４に装着された足場支持部材１５に支持されて、足場設置場所に固定配置し、足場１０を水面Ｗ．Ｌ上方に位置させて設置することができる。
（第二実施の形態）
【００５１】
続いて、この発明の第二実施の形態に係る水域構造物の足場構造について説明する。
この第二実施の形態に係る水域構造物の足場構造においては、梁部材１６ａと床部材１６ｂからなる足場形成部材１６を、足場１０を設置する設置現場で組み立てて、足場１０を形成する代わりに、予め製作した足場ユニットを用いて足場３０を形成する。その他の構成及び作用は、第一実施の形態に係る水域構造物の足場構造と同様である。
図１０は、この発明の第二実施の形態に係る水域構造物の足場構造における足場ユニットを用いて足場を形成する方法を示し、（ａ）は設置場所まで運ばれた足場ユニットの説明図、（ｂ）は足場支持部材を介して連結部材に足場ユニットを装着した状態の説明図である。
【００５２】
図１０に示すように、予め製作した足場ユニットを用いて足場３０を形成する場合、先ず、予め、足場床を有する矩形板状の足場ユニット３１を形成しておき、この足場ユニット３１に、大きな浮力が得られる発泡スチロール製またはＦＲＰ製のフロータを取り付けて水面Ｗ．Ｌに浮かべると共に、必要な数の足場支持部材１５を載せて、足場３０を設置する設置現場まで曳航する（（ａ）参照）。足場ユニット３１は、発泡スチロール等でできたフロータを取り付ける他、足場ユニット３１自身にフロータの機能を持たせたり、これらを組み合わせて構成することにより、水面Ｗ．Ｌに浮かぶようにしても良い。
【００５３】
次に、足場３０を設置する設置現場で、足場ユニット３１に乗った作業員Ｗが、足場支持部材１５を水面Ｗ．Ｌ下方に沈めて、固定基部２３を鋼管杭１３の水面下所定位置に設置した連結部材１４に係止させ、足場支持部材１５を連結部材１４に取り付けることにより（（ｂ）参照）、足場ユニット３１に搭載して運んだ足場支持部材１５で、足場ユニット３１を連結部材１４に固定（支持）する。
なお、連結部材１４は、少なくとも、足場３０の設置現場まで曳航した足場ユニット３１から足場支持部材１５を水面Ｗ．Ｌ下方に沈める前に、前述したように、鋼管杭１３に装着固定しておく。
【００５４】
この足場ユニット３１に乗った作業員Ｗによる、足場支持部材１５を連結部材１４に取り付ける作業内容及び作業手順は、上述した、第一実施の形態に係る水域構造物の足場構造の、浮体Ｐに乗った作業員Ｗが行う、足場１０を設置する場所まで運んだ足場支持部材１５を連結部材１４に取り付ける、足場支持部材の連結部材への取り付け方法の作業内容及び作業手順（図７，８参照）と同様である。
【００５５】
このように、足場床を事前に陸上で製作（ユニット化）して足場３０を設置する設置現場に曳航し、設置現場で足場支持部材１５を使用して連結部材１４に装着固定することにより、梁部材１６ａと床部材１６ｂからなる足場形成部材１６を足場設置現場で組み立てる場合に比べ、足場構築のための作業工程を大幅に短縮することができ、この結果、足場構築に要する作業時間も大幅に短縮することができる。
（第三実施の形態）
【００５６】
続いて、この発明の第三実施の形態に係る水域構造物の足場構造について説明する。
この第三実施の形態に係る水域構造物の足場構造においては、足場３５は、足場形成部材１６により形成される足場１０に加えて、足場１０より一段低い足場形成ユニット３６を設けることにより、二段に形成されている。その他の構成及び作用は、第一実施の形態に係る水域構造物の足場構造と同様である。
図１１は、この発明の第三実施の形態に係る水域構造物の足場構造における足場形成ユニットを用いて足場を形成する方法を示し、（ａ）は足場の平面説明図、（ｂ）は（ａ）のＢ-Ｂ断面による説明図である。
【００５７】
図１１に示すように、足場３５は、水面Ｗ．Ｌ上方で足場１０より一段低く設置された足場形成ユニット３６を有しており、足場形成ユニット３６は、水域構造物１１が備える上部構造物１２の最低部となる、例えば、桟橋梁部１２ａの直下部分において、足場１０の隣接する床部材１６ｂ，１６ｂの間を一段下がった位置で連結するように、配置されている。
【００５８】
この足場形成ユニット３６は、両支柱部材２４，２４に装着される梁部材３６ａと、梁部材３６ａに装着されて足場床となる床部材３６ｂを有しており、Ｖ字形に配置された２本の支柱部材２４により支持される梁として、且つ、作業者が作業及び通行する床面として、十分な形状及び広さの矩形状に形成されている。梁部材３６ａは、例えば、鋼管製の単管パイプからなり、単管クランプ等のクランプ手段（図示しない）により支柱部材２４に離脱可能に装着されており、床部材３６ｂは、例えば、エキスパンドメタルが用いられ、取付け部材（図示しない）により梁部材３６ａに離脱可能に取り付けられている。
【００５９】
梁部材３６ａは、作業箇所となる、例えば、桟橋梁部１２ａの下方の、床部材３６ｂとの間で作業及び通行の際に必要とする十分な高さを確保することができる支柱部材２４の中央部位置で、支柱部材２４に装着されている。
これにより、水域構造物１１が備える上部構造物１２である、例えば、桟橋梁部１２ａ下方の空間を十分に確保することができる。つまり、一般に、桟橋床版１２ｂの下面を補修するために床版１２ｂの下面に作業員の手が届き易くしようとすると、足場３５の基面、即ち、床部材１６ｂにより形成される足場床面の位置を高くしなければならないが、そうすると、桟橋梁部１２ａの下面と足場床面との距離が接近してしまい高さ方向空間が非常に狭くなり、桟橋梁部１２ａの下面における作業性や通行が困難になる。
【００６０】
しかしながら、Ｖ字形に配置された２本の支柱部材２４からなる足場支持部材１５により、桟橋梁部１２ａの下方を避けた、桟橋梁部１２ａの両側一対の２箇所で梁部材（単管パイプ）３６ａを支持することで、連結部材１４から支持部材２４が鉛直方向に１本延びている足場支持部材で支持する場合と比較すると、梁部材１６ａの径間が短くなって、強度保持のために必要とする断面性能を小さくすることができ、組立作業性の向上や材料費の削減が可能となる。
【００６１】
また、足場３５を支持する足場支持部材１５が、Ｖ字形に配置された２本の支柱部材２４，２４からなるので、桟橋梁部１２ａの下方の足場形成ユニット３６と足場１０とにより、桟橋梁部１２ａの直下と桟橋床版１２ｂの直下で足場床面の高さ（基面高）を変えた二段構成の足場３５を構築することができ（（ｂ）参照）、足場形成ユニット３６の高さを、桟橋梁部１２ａの位置に対応して支柱部材２４における任意の位置に設定することができるのに加え、梁部材１６ａの高さも、桟橋梁部１２ａの位置に左右されない任意の位置に設定することができる。このため、作業高さとなる足場床面の高さを任意の高さに設定することができるので、桟橋等の水域構造物１１の上部構造物１２を点検や補修等する際の作業性が向上する。
（第四実施の形態）
【００６２】
続いて、この発明の第四実施の形態に係る水域構造物の足場構造について説明する。
この第四実施の形態に係る水域構造物の足場構造においては、足場４０を、足場支持部材１５を用いることなく直接、連結部材１４に装着固定することができる喫水調整足場ユニット４１を用いて、形成している。その他の構成及び作用は、第一実施の形態に係る水域構造物の足場構造と同様である。
図１２は、この発明の第四実施の形態に係る水域構造物の足場構造における喫水調整足場ユニットの斜視説明図である。図１３は、図１２の喫水調整足場ユニットを用いて足場を形成する方法を示し、（ａ）は足場の平面説明図、（ｂ）は（ａ）のＢ方向から見た説明図である。
【００６３】
図１２に示すように、喫水調整足場ユニット４１は、例えば、鋼製やＦＲＰ製等からなり、内部に、例えば、水等の液体を貯め置くと共に液体を注入或いは排出することができる立方体状容器に形成されており、底部には、対向する辺間を結んで底面側に開口し、連結部材１４を嵌め込むことができる形状及び大きさを有する、溝状の凹部４１ａが形成されている。
従って、この喫水調整足場ユニット４１は、容器内部の液体量を増減することで、水面Ｗ．Ｌに浮かべた際の喫水を調整することができることから、容器内部の液体量を少なくして喫水を浅くし水面Ｗ．Ｌに浮かべた状態にすることができ、一方、容器内部の液体量を多くして喫水を深くし水面Ｗ．Ｌ下方に沈み込ませることができる。
【００６４】
よって、喫水調整足場ユニット４１は、容器内部の液体量が少ない状態で水面Ｗ．Ｌに浮かべ、足場設置場所まで曳航することができ、足場設置場所に着いたら、連結部材１４の上方に位置させて、容器内部の液体量を多くすることにより水面Ｗ．Ｌ下方に沈み込ませ、連結部材１４を凹部４１ａ内に嵌め込むことができる。
なお、連結部材１４は、少なくとも、足場４０の設置現場まで曳航した喫水調整足場ユニット４１を水面Ｗ．Ｌ下方に沈み込ませる前に、前述したように、鋼管杭１３に装着固定しておく。
【００６５】
凹部４１ａ内に連結部材１４を嵌め込むことにより、喫水調整足場ユニット４１を、上部側を水面Ｗ．Ｌ上方に露出させ、鋼管杭１３の水面下所定位置に設置した連結部材１４に係止した状態に保持させることができる。この状態で、喫水調整足場ユニット４１同士を連結し、喫水調整足場ユニット４１の上面を足場床として足場４０を形成する。
この連結部材１４に係止させた喫水調整足場ユニット４１は、容器内部の液体量を少なくすることで浮かせることができるので、凹部４１ａから連結部材１４を引き抜いて、連結部材１４から喫水調整足場ユニット４１を離脱させることができる。
【００６６】
このように、喫水調整足場ユニット４１は、内部に液体を貯め置くと共に内部の液体量を増減することができる容器からなり、足場４０となる容器上面部、及び容器底面部に形成された連結部材１４に離脱可能に装着することができる凹部（係止部）４１ａを有し、内部の液体量を多くして水面Ｗ．Ｌ下方に沈み込ませ、凹部４１ａにより連結部材１４に係止した状態に保持させることができる。
（第五実施の形態）
【００６７】
続いて、この発明の第五実施の形態に係る水域構造物の足場構造について説明する。
この第五実施の形態に係る水域構造物の足場構造においては、足場４５を、足場支持部材１５の代わりに、連結部材１４に係止された浮き梁受け部材４６を用いて梁部材１６ａを支持することにより、形成している。その他の構成及び作用は、第一実施の形態に係る水域構造物の足場構造と同様である。
図１４は、この発明の第五実施の形態に係る水域構造物の足場構造における浮き梁受け部材を用いて足場を形成する方法を示し、（ａ）は足場の平面説明図、（ｂ）は（ａ）のＢ-Ｂ断面による説明図である。
【００６８】
図１４に示すように、浮き梁受け部材４６は、少なくとも、隣接する２本の鋼管杭１３，１３間に掛け渡すことができる長さを有すると共に、例えば、エキスパンドメタル等の床部材１６ｂを載せたまま水面Ｗ．Ｌに浮かべることができる浮体構造を有する、桁材状に形成されており、例えば、ロープ状の係止手段４７を用いて連結部材１４に係止されている。
この浮き梁受け部材４６を、足場設置場所まで曳航し、足場設置場所に着いたら、係止手段４７を用いて、浮き梁受け部材４６と連結部材１４と繋ぎ止め、水面Ｗ．Ｌに浮かべたまま、連結部材１４と直交する方向に位置させて連結部材１４に係止する。
【００６９】
なお、連結部材１４は、少なくとも、足場４５の設置現場まで曳航した浮き梁受け部材４６を連結部材１４に繋ぎ止める前に、前述したように、鋼管杭１３に装着固定しておく。
水面Ｗ．Ｌに浮かべたまま連結部材１４に係止された浮き梁受け部材４６を、足場４５を形成するために必要な数、設置した後、全浮き梁受け部材４６の上面に、浮き梁受け部材４６と直交する方向に梁部材１６ａを掛け渡し、掛け渡した梁部材１６ａに、足場床となる床部材１６ｂを装着する。これにより、床部材１６ｂの上面を足場床として足場４５が形成される。
【００７０】
上述した、各実施の形態に示すように、この発明に係る水域構造物の足場構造により、鋼管杭１３に固定保持される連結部材１４に装着された足場支持部材１５に支持されて、水面Ｗ．Ｌ上方に位置する、足場床を有する足場１０を、作業員Ｗが浮体Ｐに乗ったまま水面Ｗ．Ｌ上方からの作業により、水域構造物１１の上部構造物１２の下方に設置することができる。
そして、部材軸方向に伸縮自在な筒体を含む棒状部材で、既設の鋼管杭１３間に脱着可能に装着され、水域構造物１１の鋼管杭１３間を連結し少なくとも鋼管杭１３に沿って移動しないように装着された連結部材１４が、上部工の下に構築する足場の荷重を保持し、また、上部工の下に浮体で構築する足場の動揺を抑制する。
【００７１】
このため、鋼管杭１３に固定保持される連結部材１４を支持構造体（基礎）として、足場１０を構築することができるので、従来の吊りチェーンを用いて吊設する足場においては必須だった吊りチェーンそのものを無くすことができるばかりでなく、上部構造物（例えば、桟橋上部工）の梁側面等にチェーンを取り付ける工程も省略することができる。
よって、吊りチェーンを無くすことにより、足場を構築することで得られる作業空間がチェーンに遮られないので、作業空間の自由な移動及び広い作業空間を確保することができ、点検・補修作業の効率が上がり、作業コストの低減及び作業工程の短縮が可能になる。また、吊りチェーンを無くすことにより、手間がかかる吊りチェーンの取付け作業そのものが無くなるので、足場架設にかかる作業コストの低減及び工期の短縮が可能になる。
【００７２】
加えて、吊りチェーンを無くすことに伴い、吊りチェーンを取り付ける取付金物の後処理、即ち、足場撤去後の撤去及び取付け面の補修等が不要となる。取付け面の補修そのものが不要になるので、補修跡がもたらす、例えば、取付金具が錆びてそこから塩害によるコンクリートの劣化が進行する等の、将来のコンクリート劣化をもたらす虞そのものを無くすことができる。
【００７３】
また、連結部材１４を水中に配置する場合、連結部材１４を水中で鋼管杭１３に固定保持する楔状部材２１は、水面Ｗ．Ｌ上方から長ボルト２２ａを回転操作して鋼管杭１３と鞘管の間に打ち込むことができ、また、この連結部材１４への足場支持部材１５の取り付けは、水面Ｗ．Ｌ上方から支柱部材２４を操作して行うことができ、何れの作業も、作業員Ｗが、例えば、水面Ｗ．Ｌに浮かべた浮体Ｐに乗ったまま、水面から遠隔操作して簡単にできるので、例えば、潜水士による水中作業を必要とせず、作業コストの低減が可能になる。
更に、足場を事前に陸上で製作（ユニット化）して現地に曳航し、足場支持部材を使用して支持部材と連結・固定することで、足場構築にかかる工程を大幅に短縮することができる。
【産業上の利用可能性】
【００７４】
この発明によれば、吊りチェーンを無くすことにより、足場を構築することで得られる作業空間がチェーンに遮られないので、作業空間の自由な移動及び広い作業空間を確保することができ、また、吊りチェーンを無くすことにより、手間がかかる吊りチェーンの取付け作業そのものが無くなるので、桟橋等の水域構造物の上部構造物を点検や補修等する際に用いる、水面上方に位置する上部構造物の下方に設置される水域構造物の足場構築工法及び足場構造に最適である。
【符号の説明】
【００７５】
１０，３０，３５，４０，４５  足場
１１  水域構造物
１２  上部構造物
１２ａ  桟橋梁部
１２ｂ  桟橋床版
１３  鋼管杭
１４  連結部材
１５  足場支持部材
１６，３６  足場形成部材
１６ａ  梁部材
１６ｂ  床部材
１７  外管
１８  内管
１９  鞘管部材
１９ａ，２０ａ  フランジ
２０  鞘管形成用部材
２１  楔状部材
２２ａ  長ボルト
２２ｂ  ナット
２２ｃ  ガイドパイプ
２３  固定基部
２３ａ  基部片
２３ｂ  ヒンジ
２３ｃ  ゴム部材
２３ｄ  支柱取付部材
２４  支柱部材
２４ａ  突出下端部
２４ｂ  上端部
３１  足場ユニット
３６  足場形成ユニット
３６ａ  梁部材
３６ｂ  床部材
４１  喫水調整足場ユニット
４１ａ  凹部
４６  浮き梁受け部材
４７  係止手段
Ｐ  浮体
Ｗ  作業員
Ｗ．Ｌ  水面
ａ  重防食被膜
【図１】
2012225002.tif 000003
【図２】
2012225002.tif 000004
【図３】
2012225002.tif 000005
【図４】
2012225002.tif 000006
【図５】
2012225002.tif 000007
【図６】
2012225002.tif 000008
【図７】
2012225002.tif 000009
【図８】
2012225002.tif 000010
【図９】
2012225002.tif 000011
【図１０】
2012225002.tif 000012
【図１１】
2012225002.tif 000013
【図１２】
2012225002.tif 000014
【図１３】
2012225002.tif 000015
【図１４】
2012225002.tif 000016
【手続補正書】
【提出日】平成24年8月8日(2012.8.8)
【手続補正１】
【補正対象書類名】特許請求の範囲
【補正対象項目名】全文
【補正方法】変更
【補正の内容】
【特許請求の範囲】
【請求項１】
水中から水面上方に突出する複数の脚部に支持されて水面の上方に位置する上部構造物を備えた水域構造物に、前記上部構造物の下方に位置する足場を設置する、水域構造物の足場構築工法において、
水域構造物の脚部間を連結し少なくとも脚部に沿って移動しないように、水面下方の重防食被膜が施された部分を除いた水中位置に装着された連結部材が、上部工の下に構築する足場の荷重を保持し、
前記連結部材は部材軸方向に伸縮自在な棒状部材で、既設の脚部間に脱着可能であることを特徴とする水域構造物の足場構築工法。
【請求項２】
前記連結部材は、上部工の下に浮体で構築する足場の動揺を抑制することを特徴とする請求項１に記載の水域構造物の足場構築工法。
【請求項３】
水中から水面上方に突出する複数の脚部に支持されて水面の上方に位置する上部構造物を備えた水域構造物に、前記上部構造物の下方に位置する足場を設置する足場構造において、
前記複数の脚部間を連結し少なくとも脚部に沿って移動しないように、水面下方の重防食被膜が施された部分を除いた水中位置に配置された連結部材に、前記足場の荷重を伝達する足場支持部材を設け、
前記足場支持部材は、開閉自在に形成された基部片からなる固定基部と、前記基部片に取り付けられ前記基部片の開閉操作を行う支柱部材を有して、前記連結部材に離脱可能に装着され、前記支柱部材の閉操作により、前記基部片が閉動作して前記固定基部が前記連結部材に密着固定し係止した状態になることを特徴とする足場構造。
【手続補正２】
【補正対象書類名】明細書
【補正対象項目名】０００８
【補正方法】変更
【補正の内容】
【０００８】
上記目的を達成するため、この発明に係る水域構造物の足場構築工法は、水中から水面上方に突出する複数の脚部に支持されて水面の上方に位置する上部構造物を備えた水域構造物に、前記上部構造物の下方に位置する足場を設置する、水域構造物の足場構築工法において、水域構造物の脚部間を連結し少なくとも脚部に沿って移動しないように、水面下方の重防食被膜が施された部分を除いた水中位置に装着された連結部材が、上部工の下に構築する足場の荷重を保持し、前記連結部材は部材軸方向に伸縮自在な棒状部材で、既設の脚部間に脱着可能であることを特徴としている。
【手続補正３】
【補正対象書類名】明細書
【補正対象項目名】０００９
【補正方法】変更
【補正の内容】
【０００９】
また、この発明の他の態様に係る水域構造物の足場構築工法は、前記連結部材が、上部工の下に浮体で構築する足場の動揺を抑制することを特徴としている。
また、この発明に係る足場構造は、水中から水面上方に突出する複数の脚部に支持されて水面の上方に位置する上部構造物を備えた水域構造物に、前記上部構造物の下方に位置する足場を設置する足場構造において、前記複数の脚部間を連結し少なくとも脚部に沿って移動しないように、水面下方の重防食被膜が施された部分を除いた水中位置に配置された連結部材に、前記足場の荷重を伝達する足場支持部材を設け、前記足場支持部材は、開閉自在に形成された基部片からなる固定基部と、前記基部片に取り付けられ前記基部片の開閉操作を行う支柱部材を有して、前記連結部材に離脱可能に装着され、前記支柱部材の閉操作により、前記基部片が閉動作して前記固定基部が前記連結部材に密着固定し係止した状態になることを特徴としている。
【手続補正４】
【補正対象書類名】明細書
【補正対象項目名】００１０
【補正方法】変更
【補正の内容】
【００１０】
この発明に係る水域構造物の足場構築工法によれば、水中から水面上方に突出する複数の脚部に支持されて水面の上方に位置する上部構造物を備えた水域構造物に、前記上部構造物の下方に位置する足場を設置する、水域構造物の足場構築工法において、水域構造物の脚部間を連結し少なくとも脚部に沿って移動しないように、水面下方の重防食被膜が施された部分を除いた水中位置に装着された連結部材が、上部工の下に構築する足場の荷重を保持し、前記連結部材は部材軸方向に伸縮自在な棒状部材で、既設の脚部間に脱着可能であるため、作業空間の自由な移動及び広い作業空間の確保を妨げる、例えば、作業空間を形成するための架設部材を吊り下げる吊りチェーンを必要としないので、足場の構築作業ばかりでなく、足場構築後の足場上での各種作業においても、効率良く行うことができ、危険を伴う足場構築作業の削減と足場構築に要する作業時間を短縮することができる。
また、この発明に係る足場構造は、この発明に係る水域構造物の足場構築工法により実現することができる。